(57)【要約】【課題】  白内障患者の白内障摘出手術及び眼内レンズ嚢内移植をより安全に行ない、特にチン小帯の脆弱又は断裂した患者の、術後視力を安定させる水晶体嚢保持縫合糸を開発すること。【解決手段】  眼科用縫合針に水晶体嚢保持糸を付け、白内障摘出手術及び眼内レンズ嚢内移植時に使用し、術中術後の水晶体嚢を保持する。特に脆弱或いは断裂しているチン小帯のある白内障患者の白内障手術に本考案の水晶体嚢保持糸となる縫合糸の付いた縫合針を用いる。本考案の水晶体嚢保持糸の付いた縫合針の縫合糸は移植され、術後の水晶体嚢を安定させ、患者の術後視力安定に寄与する。【選択図】図１
2010012184.tif 000002
【特許請求の範囲】
【請求項１】
縫合針に水晶体嚢保持糸が付いたことを特徴とする医療用縫合針付き縫合糸。
【請求項２】
水晶体嚢保持糸の全長が１５．０ｍｍ以上で太さが０．０１〜１．０ｍｍの範囲から選ばれた縫合糸で先端が鋭角に折れ曲がり、その折れ曲がりから線状に上下或いは左右に分岐した形状のパッドが設けられ、その折れ曲がり頂点から分岐までの長さが少なくとも１．０ｍｍ以上で、線状に分岐しパッドを構成するその線は太さ０．０１〜１．０ｍｍの範囲から選ばれた太さであり、上下或いは左右の分岐パッド先端間の幅が１．０〜１５．０ｍｍの範囲から選ばれたパッド幅の糸が設けられたことを特徴とする、請求項１に記載の医療用縫合針付き縫合糸。
【請求項３】
縫合糸の先端の折れ曲がりが鋭角で、角度５度以上、８０度未満であることを特徴とする、請求項２に記載の医療用縫合針付き縫合糸。
【請求項４】
縫合糸が、ポリプロピレン、ナイロン、テフロン、シリコーン、ポリ塩化ビニル、ポリフッ化ビニル、ポリメチルメタクリレート、ポリイミド、形状記憶樹脂、有機材料から選ばれた請求項１及び請求項２に記載の医療用縫合針付き縫合糸。
【請求項５】
縫合針が、ステンレス鋼、アルミニウム、チタン、形状記憶金属から選ばれた請求項１及び請求項２に記載の医療用縫合針付き縫合糸。
【発明の詳細な説明】
【技術分野】
【０００１】  本発明の医療用縫合針付き縫合糸は、水晶体の支えとなるチン小帯が弱い時の白内障手術及び眼内レンズ移植手術の術中術後の水晶体嚢の保持に用いる。
【背景技術】
【０００２】
【特許文献１】  特許公開２００４−３３７５５１号公報
【特許文献２】  特許公開２００７−０２１１４７号公報
【特許文献３】  米国特許５８４３１８４
【特許文献４】  米国特許６１８３４８０
【０００３】  白内障患者の白内障手術において、チン小帯が弱い時の白内障手術や術中に水晶体嚢が破嚢した場合には眼内レンズ毛様溝縫着手技が必要と言われている。毛様溝縫着術は硝子体出血を起こし易く、網膜剥離の誘因となる可能性が高くなるとされている。【０００４】  本発明者は特許文献１の特許公開２００４−３３７５５１号公報及び特許文献２の特許公開２００７−０２１１４７号公報で水晶体嚢保持具を開示している。この水晶体嚢保持具は白内障手術中のみの使用であり、又、この水晶体嚢保持具は角膜縁から瞳孔を通って水晶体嚢内に向かって挿入される。【０００５】  水晶体嚢の赤道部を円形に確保するには、水晶体嚢拡張リングや眼内レンズ支持部（ハプティック）がある。水晶体嚢拡張リングは水晶体前嚢上皮細胞の後嚢への増殖伸展阻止による後発白内障予防用であり、眼内レンズは視力補正用である。水晶体嚢拡張リングや眼内レンズはチン小帯が断裂すると硝子体腔中に落下し、再手術となる可能性がある。米国特許Ｎｏ．５８４３１８４で開示しているリングは大きく、脆弱な、又は断裂したチン小帯を持つ水晶体嚢への移植には困難であり、更なるチン小帯断裂を起こす可能性が大きい。脆弱な、又は断裂したチン小帯へは機械的に静かに白内障手術を施行しなければならないことは良く知られている。この米国特許Ｎｏ．５８４３１８４で開示しているリングは水晶体摘出術後の眼内レンズ眼内移植直前に移植され、水晶体摘出術中は使用できない。【０００６】  米国特許Ｎｏ．６１８３４８０で開示している水晶体嚢固定器も牽引部位が切開後の前嚢縁のみで、充分な水晶体嚢の袋状を確保出来ず、切開後の前嚢縁に亀裂があると使用出来ない。この水晶体嚢固定器は移植されない。【０００７】  白内障手術を安全に行なうための条件の一つに良好な散瞳状態を保つことが上げられる。散瞳には通常、点眼薬を用いるが、緑内障やぶどう膜炎の既往を持つ症例では点眼薬に反応しなく、充分に散瞳を得られない場合がある。【０００８】  この様な小瞳孔例には、強制的に瞳孔を拡張することができる虹彩レトラクターと呼ばれる手術補助器具が従来から用いられている。虹彩レトラクターをチン小帯脆弱・断裂例に使用する場合、虹彩の縁（瞳孔縁）と前嚢切開後の前嚢とを一緒に牽引して水晶体嚢を牽引するが、牽引部位が切開後の前嚢縁のみで、充分な水晶体嚢の袋状を確保出来ない。
【発明の開示】
【発明が解決しようとする課題】
【０００９】  白内障手術時に患者の水晶体嚢が正常に確保出来ない場合、一般的に眼内レンズは毛様溝に固定し、移植される。しかし、水晶体嚢が正常に確保されれば眼内レンズは嚢内に固定出来る。  移植眼内レンズとぶどう膜である毛様溝組織とは直接接触しない方が眼内の炎症度合いが少なく、術後視力に良いことはよく知られている。第一の課題は、眼内レンズ移植を水晶体嚢内固定とすること。【００１０】  健常眼球ではレンズである水晶体とぶどう膜は離れ、チン小帯で繋がっており、水晶体はトランポリン様に懸架している。毛様溝固定眼内レンズの固定位置の不具合や眼内レンズと眼内組織との余計な接触は出血や炎症を生じ、術後視力に影響を及ぼす。第二の課題は、眼内レンズ移植、特にチン小帯が脆弱な、或いは一部断裂した水晶体嚢を懸架・保持し、眼内レンズ水晶体嚢内移植術をより安全に、確実に行ない、術後合併症を軽減すること。【００１１】  第三の課題は、眼内移植可能な、体積、表面積、重量等、物理的最小限の器具により水晶体嚢を温存・保持すること。チン小帯の脆弱例や断裂例は、白内障手術の中でも難治症例として扱われており、水晶体核摘出が難しく、水晶体脱落、水晶体後嚢破嚢、眼内レンズ偏位や眼内レンズの硝子体腔中への落下等が合併症として知られている。
【課題を解決するための手段】
【００１２】  白内障患者に於いて、図１の様に縫合針Ｂに水晶体嚢保持糸Ｔが付いた医療用縫合針付き縫合糸を用いて白内障手術及び眼内レンズ移植手術を施行する。従来、縫合針と水晶体嚢を保持する縫合糸が一体となった縫合針付き縫合糸は無かった。本発明は、縫合針付き縫合糸の物理的に最小の縫合糸に水晶体嚢保持機能を持たせ、更に、その縫合糸を眼内に移植可能としたことを特徴とする。【００１３】  縫合針Ｂに、全長が１５．０ｍｍ以上で太さが０．０１〜１．０ｍｍの範囲から選ばれた太さの縫合糸Ｔで先端が鋭角に折れ曲がり、その折れ曲がりから線状に上下或いは左右に分岐した形状のパッドＰｒとＰｌが設けられ、その折れ曲がり頂点Ｗから分岐Ｓまでの長さが少なくとも１．０ｍｍ以上で、線状に分岐しパッドを構成するその線は太さ０．０１〜１．０ｍｍの範囲から選ばれた太さであり、上下或いは左右の分岐パッド先端間Ｈの幅が１．０ｍｍ以上で１５．０ｍｍ以下の範囲から選ばれたパッド幅の糸が付いた縫合針Ｂ付き糸Ｔを用いて白内障手術及び眼内レンズ移植手術を施行する。【００１４】  白内障手術において、チン小帯脆弱或いは断裂を伴う白内障手術時の水晶体嚢赤道部の保持をパッドで行い、患者に安全に又、確実に水晶体の超音波破砕吸引術を行なうことを目的として水晶体嚢赤道部を保持する糸付き縫合針を用いる。図２右の水晶体嚢赤道部保持糸Ｔで示した様に保持糸Ｔの片端は切断され、毛様溝上の強膜Ｓｃ内に縫埋され水晶体嚢赤道部保持糸Ｔは移植される。【００１５】  更に、眼内レンズ移植手術において、患者のチン小帯脆弱或いは断裂を伴う白内障手術時の水晶体嚢赤道部の支持をパッドで行い、安全に又、更なるチン小帯の断裂を防いで確実に眼内レンズを水晶体嚢内に移植し、術後の患者視力を維持する。【００１６】  白内障・眼内レンズ移植手術において、患者のチン小帯脆弱或いは部分断裂時の水晶体嚢赤道部の保持を行うために、図１の様に縫合糸Ｔの全長Ｎが１５．０ｍｍ以上で、太さが０．０１ｍｍから１．０ｍｍまでの縫合糸Ｔであり、先端が鋭角に折れ曲がり、その折れ曲がり頂点Ｗから１．０ｍｍ以上のＳで分岐し、分岐の先端が線状のパッドＰｒとＰｌであり、その線は太さ０．０１〜１．０ｍｍでパッド幅Ｈが１．０〜１５．０ｍｍである、水晶体嚢赤道部保持糸Ｔを用いる。【００１７】  その水晶体嚢赤道部保持糸の折れ曲がりの先端が線状パッドで、その線が左右や上下に放射状に分岐し分岐の幅Ｈが１．０〜１５．０ｍｍのパッドとし、図２の様に水晶体嚢赤道部Ｅｑを赤道に沿ってパッドＰｒとＰｌで押し広げ、後嚢Ｐｃによる袋状を確保する。尚、水晶体嚢赤道部保持糸の先端折れ曲がり角度、図１のＡ、は鋭角で、角度５度以上、８０度未満が好ましい。【００１８】  本発明の水晶体嚢赤道部保持糸は毛様溝Ｃｓを通過して移植される。半層切開した強膜弁（フラップ）側に出た本発明の水晶体嚢赤道部保持糸Ｔを図３の様に持針器や縫合鑷子のプラットホームで平たく潰しＤとし、強膜から強膜に近いＴｍ側の潰れた糸の首の部分Ｄｅに１０−０縫合糸を結紮し水晶体嚢赤道部保持糸Ｔを強膜に固定する。潰れた糸の首の外Ｔｂ側部分は切断し、結紮した１０−０縫合糸と潰れた糸Ｄは図２右の様に強膜弁Ｓｃｃ下、���膜Ｓｃ内に縫埋する。更に、結膜Ｃｔを被せて手術を終える。この水晶体嚢赤道部保持糸により、眼内レンズ移植手術予後の眼内レンズ偏位や眼内レンズの硝子体腔中への落下を防止し、患者術後視力を維持する。【００１９】  本発明の水晶体嚢赤道部保持糸Ｔは主に合成樹脂である、ポリプロピレン、ナイロン、テフロン、シリコーン、ポリ塩化ビニル、ポリフッ化ビニル、ポリメチルメタクリレート、ポリイミド、形状記憶樹脂から選ばれた糸状の材料であるが、人体に安全で手術に有効である材料ならこれ以外のアクリル樹脂、絹糸等の有機材料等も使用できる。しかしながら、ポリグリコール酸縫合糸の様な生体吸収性縫合糸は本発明の様な縫合糸の移植には適さない。【００２０】  縫合針Ｂは従来使用されている、ステンレス鋼、アルミニウム、チタン、形状記憶金属から選ばれた医療用縫合針が好ましい。縫合針Ｂの針先を誘導するための注射針は、強膜Ｓｃから毛様溝Ｃｓ、虹彩Ｉ下を通り前嚢切開後の切開孔Ｐａ上に出ると角膜Ｋ側から術者がその針先を視認出来る。術者は縫合糸Ｔの移植位置で穿刺した注射針の針穴にこの縫合針Ｂの針先を入れ、穿刺孔から強膜の外へ注射針ごと縫合針を引き抜く（図示していない）。縫合糸は縫合針を抜いた毛様溝の位置の水晶体嚢赤道部に移植される。【００２１】  以上述べた様に、本発明の水晶体嚢赤道部保持糸となる縫合糸Ｔ付き縫合針Ｂは、水晶体嚢赤道部Ｅｑの確保が最も重要な目的である。本発明の縫合糸付き縫合針は、従来の虹彩レトラクター、水晶体嚢固定器、水晶体嚢拡張リング、そして水晶体嚢赤道部保持器具等とは形状、使用方法、作用が異なる。
【発明の効果】
【００２２】  白内障患者の白内障摘出手術に於いて、術者は水晶体嚢前嚢切開時にチン小帯が部分的に脆弱又は断裂しているかが水晶体の動きで判別できる。この前嚢切開後に行われる水晶体嚢と水晶体核の水流分離後に本発明の縫合針付き縫合糸を用いると、更に続く白内障摘出手術が行い易くなる。一般的に、白内障摘出には水晶体超音波破砕吸引術が施行される。チン小帯が部分的に脆弱又は断裂している時の水晶体超音波破砕吸引術は、本発明の縫合針付き縫合糸の使用により、より安全に施行できる。チン小帯が脆弱又は断裂している時、水晶体嚢を保持する工夫の無い時に水晶体超音波破砕吸引を行うと、更にチン小帯を傷め、破嚢や水晶体核落下を招くこととなる。本発明の縫合針付き縫合糸の使用により、術中での更なるチン小帯脆弱化や断裂が防止できる。【００２３】  白内障患者の白内障摘出手術、眼内レンズ移植手術後、日を追って患者のチン小帯が更に脆弱化又は断裂し始めても、本発明の縫合糸が眼内レンズ移植された患者水晶体嚢を懸架、保持していると眼内レンズが嚢ごと硝子体中に落下したり、偏位する事が防止でき、長く患者視力を維持できる。【００２４】  チン小帯が脆弱な又は断裂し、水晶体が亜脱臼又は脱臼している白内障患者への眼内レンズ移植を水晶体嚢内移植とすることが出来るので、眼内レンズ毛様溝縫着固定が避けられ、眼内レンズ支持部によるぶどう膜組織の擦過による副作用が防止できる。【００２５】  従来の移植物である水晶体嚢拡張リングに比べて本発明の縫合糸は、体積、重量、表面積等、物理的に格段に小さく、眼内組織との接触も格段に少ない。本発明の縫合糸は眼内でより安全に使用出来る事を示唆している。【００２６】  本発明の縫合糸は移植出来る水晶体嚢保持器具ともなる。この縫合糸に縫合針が付く事により、縫合糸移植を容易にし、縫合糸片端を強膜内に縫埋出来ることとした。縫合針は強膜から毛様溝への一回の穿刺で縫合糸を眼内に誘導できるため、創傷は最小限とすることが出来る。
【発明を実施するための最良の形態】
【００２７】  眼科手術において、第一に、白内障患者の特に水晶体超音波破砕吸引術及び眼内レンズ移植術時の手術補助器具として本発明の縫合針付き水晶体嚢赤道部保持糸を用いる。  第二に、本発明の縫合針付き水晶体嚢赤道部保持糸は眼内に移植され、患者の術後視力の維持にも寄与する。本発明の縫合針付き縫合糸の形状の一例は図１の通りで、縫合針Ｂと縫合糸Ｔよりなる。縫合針Ｂは弱弯した通常の眼科用縫合針が好ましい。縫合糸Ｔの縫合針Ｂ付け根より縫合糸Ｔ先の折れ曲がり部Ｗまでの長さＮは少なくとも１５．０ｍｍ以上必要である。【００２８】  縫合糸Ｔの折れ曲がり部Ｗからの折れ曲がりは分岐Ｓに向かって鋭角Ａで、角度５度以上、８０度未満が好ましい。縫合糸Ｔは分岐Ｓから更にパッドとなるパッドＰｒとＰｌに分かれている。パッドＰｒとパッドＰｌは水晶体嚢赤道部を保持する様に分岐Ｓから放射状に二つに分岐している。本発明の説明では分岐は左右の様に二つであるが、分岐数には拘らない。縫合糸Ｔの折れ曲がり部Ｗから分岐Ｓの折れ曲がり長さは約１．０ｍｍ以上必要で最長５．０ｍｍ程度迄が好ましい。【００２９】  眼内での縫合糸Ｔの移植位置は図２左右の縫合糸Ｔの様に毛様溝上強膜Ｓｃから、縫合糸Ｔ先端は水晶体嚢赤道部Ｅｑに位置する。【００３０】  図２の右側の縫合糸Ｔは眼内水晶体嚢内に挿入後、嚢の内側赤道部Ｅｑに先端パッド、が当てられている図であり、縫合針側（図示していない）の縫合糸Ｔ断端は強膜Ｓｃ内に縫埋されている図である。図２左右のチン小帯Ｚはブドウ膜Ｕより断裂していても、本器はこの右図の様に移植され、水晶体超音波破砕吸引術そして眼内レンズ移植が行なわれる。【００３１】  本発明の縫合針と縫合糸を眼内に挿入する前に、硬めの核を持つ水晶体では水圧による核と皮質の水流分離を行なう。核分離の後、本発明の器具を嚢内に装着すると図２の様に先端パッドＰｒとＰｌが嚢赤道部皮質と接触することとなる。この時、超音波破砕吸引針でパッドＰｒとＰｌ下の皮質も吸引することとなり、これらパッドを含む縫合糸は揺れるが皮質吸引の妨げとはならない。【００３２】  図１及び図２の先端Ｐｒ及びＰｌのパッドは説明のため、縫合糸Ｔの５−０縫合糸の先端部長さ凡そ１．０ｍｍを分岐まで太さの半分に縦割りし、分岐し、パッド幅Ｈを約２．０ｍｍとして図示した。本発明ではこのパッド幅Ｈは１．０ｍｍ〜１５．０ｍｍの範囲より選び、この幅で赤道部Ｅｐを保持する。形状は加熱成形する。
【実施例１】
【００３３】  図１の様な長さＮが４０．０ｍｍの５−０（φ０．１２ｍｍ）眼科用縫合糸Ｔに長さＧが１５．０ｍｍの弱弯針Ｂが付いた針糸を作成した。縫合糸Ｔの断端は水晶体嚢が保持出来る形状とした。縫合糸Ｔの先端保持部折れ曲がりからの長さ、ＷからＳ、は１．２５ｍｍで分岐先端Ｈは２．０ｍｍの幅で折れ曲がりに対してＴ字型に水晶体嚢赤道に沿う様に、放射状に、左右に分割分岐した。糸の材質は通常の眼科手術の縫合に用いられているポリプロピレンで作成した。針Ｂは通常の縫合に用いられているステンレス製の弱弯針とした（株式会社河野製作所）。
【実施例２】
【００３４】  屠殺後の摘出豚眼を用いて実施例１の様に製作した３本の縫合針付き縫合糸の作用を試験した。【００３５】  強角膜縁より２５Ｇ前嚢切開針で前嚢切開した後、毛様溝上と思える結膜の３箇所、１２時、４時、８時と１２０度毎に結膜を剥離切開し、それら結膜下強膜を半層切開し強膜弁をそれぞれ作成した。次に、水晶体嚢と水晶体核とを水流分離した。１２時に縫合針を通過させ４時より穿刺した誘導用の２５Ｇ（ゲージ）注射針の針穴に縫合針先端を入れ縫合針を４時より抜き、４時の位置の水晶体嚢内に縫合糸先端を位置させた。この様に次々と３箇所に縫合糸を位置させた。それぞれの縫合糸パッドを水晶体嚢内赤道部に位置させた後、図３の様に強膜に出た縫合糸Ｔを持針器のプラットホームで潰しＤの様にし、２５Ｇ縫合糸を潰された縫合糸の強膜側Ｄｅを絡めそれぞれの縫合糸近位の強膜に縫着した。潰された縫合糸の強膜側Ｔｍとは反対の縫合針側Ｔｂを切断し、図２右の縫合糸Ｔの様に、潰され強膜に縫着された縫合糸Ｄを強膜弁Ｓｃｃ下に埋めた。更に剥離切開した結膜Ｃｔを強膜弁Ｓｃｃに被せた。３箇所の縫合糸の移植後に超音波水晶体破砕吸引、水晶体皮質吸引を行った。【００３６】  そして眼内レンズ移植が可能となり、作成した強角膜縁３．０ｍｍ創口より眼内レンズを嚢内に挿入した。【００３７】  豚眼を用い、本発明の縫合針付き縫合糸により、水晶体嚢が袋状を維持し、安全そして確実に白内障・眼内レンズ移植術が行なえることが確認出来た。豚眼のチン小帯を術者が故意に切断した更なる実施例に於いても、本発明者は縫合針付き縫合糸の有意さ、有効さ、移植方法を確認した。【００３８】  本発明の水晶体嚢赤道部保持糸である縫合糸はチン小帯の脆弱な或いは部分的に断裂している白内障患者の手術後の眼内レンズ固定補助具として使用できる。本発明の縫合糸は、白内障・眼内レンズ移植手術中の更なるチン小帯の断裂を阻止すると共に、移植された眼内レンズの位置をそのまま固定し、患者の術後視力維持を助ける。【００３９】  図２の右の縫合糸Ｔの様に縫合糸Ｔを強膜Ｓｃ内に縫着する。この本発明の縫合針付き縫合糸の使用で、眼内レンズの偏位や眼内レンズが硝子体Ｖｉｔ中へ落下すると言った様な更なる合併症を引き起こす懸念が無くなることを実施例２で確認出来た。【００４０】  本発明の医療用縫合針付き縫合糸は眼内移植に使用されるので、当然、手術前には滅菌状態でなければならない。
【産業上の利用可能性】
【００４１】  上述したように本発明の医療用縫合針付き縫合糸により、白内障手術時の眼内レンズの嚢内移植を確実に施行することができ、安全度の高い白内障手術及び眼内レンズ移植手術を提供できる。
【図面の簡単な説明】
【００４２】
【図１】  先端が左右に分岐したパッドを持つ水晶体嚢赤道部保持糸を持つ縫合針付き縫合糸の外観図である。
【図２】  図１の縫合針付き縫合糸の術中術後の使用例を説明するための眼球前眼部断面及び摸式図である。
【図３】  図２で縫合糸である保持糸が強膜内に縫埋固定される時、糸を潰し、固定を確実にすることを説明するための糸の潰した部分の正面図である。
【符号の説明】
【００４３】Ｔ      縫合糸
Ｂ      縫合針
Ｎ      縫合糸の、縫合針付け根より鋭角に折れ曲がった部分までの長さ
Ｇ      弯曲した縫合針の長さ
Ｗ      縫合糸の折れ曲がり部
Ａ      縫合糸の折れ曲がり部の角度
Ｓ      縫合糸の鋭角に折れ曲がった水晶体嚢赤道部に向かう先端付け根である分岐点
Ｈ      縫合糸の水晶体嚢赤道部に向かう先端パッド幅
Ｔｂ    縫合糸の縫合針方向
Ｔｍ    縫合糸の先端方向
Ｐｒ    縫合糸の水晶体嚢赤道部に向かう先端パッドの赤道接線右側
Ｐｌ    縫合糸の水晶体嚢赤道部に向かう先端パッドの赤道接線左側
Ｐａ    切開された前嚢部位
Ｃｓ    毛様溝
Ｃｔ    結膜
Ｅｑ    水晶体赤道部
Ｋ      角膜
Ｉ      虹彩
Ｐｃ    水晶体後嚢
Ｓｃ    強膜
Ｓｃｃ  強膜弁
Ｕ      ぶどう膜
Ｖｉｔ  硝子体
【図１】
2010012184.tif 000003
【図２】
2010012184.tif 000004
【図３】
2010012184.tif 000005